【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
移動体デバイスであって、
少なくとも１つのプロセッサーと、
コンピューター実行可能命令を含むコンピューター読み取り可能ストレージと、
を含み、
前記コンピューター実行可能命令が前記少なくとも１つのプロセッサーにより実行されると、前記少なくとも１つのプロセッサーに動作を実行させ、該動作が、
複数のポリシー・ソースからのポリシー構成要求を受ける動作であって、前記ポリシー構成要求が、少なくとも、
第１ポリシー・ソースからの第１ポリシー構成要求であって、ポリシーに対して第１ポリシー値を含む、第１ポリシー構成要求と、
第２ポリシー・ソースからの第２ポリシー構成要求であって、このポリシーに対して第２ポリシー値を含み、前記第１ポリシー・ソースが前記第２ポリシー・ソースとは異なり、前記第１ポリシー値が前記第２ポリシー値と対立する、第２ポリシー構成要求と、
を含む、動作と、
前記移動体デバイスを制御する前記ポリシーに対して現ポリシー値を設定するために、対立解決技法に基づいて、前記ポリシーに対する前記第１ポリシー値と第２ポリシー値との間の対立を解決する動作であって、前記ポリシーに対する前記第１ポリシー値と第２ポリシー値との間の対立が、前記第１ポリシー・ソースと前記第２ポリシー・ソースとの間の信頼が前記移動体デバイスにおいて確立されることなく解決される、動作と、
を含む、移動体デバイス。
【請求項２】
請求項１記載の移動体デバイスにおいて、
前記第１ポリシー構成要求が、更に、前記第１ポリシー・ソースの識別子と、前記ポリシーを指定するインディケーターとを含み、
前記第２ポリシー構成要求が、更に、前記第２ポリシー・ソースの識別子と、前記ポリシーを指定する前記インディケーターとを含み、
前記第１ポリシー・ソースの前記識別子が、前記第２ポリシー・ソースの前記識別子とは異なる、移動体デバイス。
【請求項３】
請求項１記載の移動体デバイスにおいて、前記対立解決技法が、ポリシー・ソース・タイプに対してそれぞれのオーソリティ・レベルを指定し、前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
前記対立解決技法を使用して、前記第１ポリシー・ソースの第１オーソリティ・レベルと前記第２ポリシー・ソースの第２オーソリティ・レベルとに基づいて、前記ポリシーに対して現ポリシー値を設定する動作、
を含む、移動体デバイス。
【請求項４】
請求項１記載の移動体デバイスにおいて、前記第１ポリシー・ソースが、所与のオーソリティ・レベルを有する企業デバイス管理サーバーであり、前記対立解決技法が、前記所与のオーソリティ・レベルを有するポリシー・ソースが前記ポリシーの現ポリシー値を設定することの禁止を指定し、前記第１ポリシー構成要求が、前記移動体デバイスの信頼ポリシー・ソースによって署名された署名付きポリシー構成要求であり、前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
前記署名付きポリシー構成要求に基づいて、前記対立解決技法によって指定された前記禁止を無効にする動作、
を含む、移動体デバイス。
【請求項５】
請求項１記載の移動体デバイスにおいて、前記コンピューター読み取り可能ストレージが、更に、ポリシー管理メタベース・ストアを含み、
前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
前記ポリシーに対する前記第１ポリシー値を前記ポリシー管理メタベース・ストアの第１ソース・ポリシー・ストアに書き込む動作であって、前記第１ソース・ポリシー・ストアが前記第１ポリシー・ソースに対応する、動作と、
前記ポリシーに対する前記第２ポリシー値を前記ポリシー管理メタベース・ストアの第２ソース・ポリシー・ストアに書き込む動作であって、前記第２ソース・ポリシー・ストアが前記第２ポリシー・ソースに対応する、動作と、
前記対立解決技法を使用し、少なくとも前記第１ソース・ポリシー・ストアからの前記第１ポリシー値と前記第２ソース・ポリシー・ストアからの前記第２ポリシー値とに基づいて、前記ポリシーに対する前記現ポリシー値を決定する動作と、
前記ポリシーに対する前記現ポリシー値を、前記ポリシー管理メタベース・ストアの現ポリシー・ストアに書き込む動作と、
を含む、移動体デバイス。
【請求項６】
請求項１記載の移動体デバイスにおいて、前記コンピューター読み取り可能ストレージが、更に、ポリシー管理メタベース・ストアを含み、前記ポリシー管理メタベース・ストアが、前記複数のポリシー・ソースに対するそれぞれのポリシー・ストアを含み、
前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
前記第１ポリシー・ソースが該第１ポリシー・ソースのための第１ソース・ポリシー・ストアにアクセスすることを許可する動作と、
前記第２ポリシー・ソースが該第２ポリシー・ソースのための第２ソース・ポリシー・ストアにアクセスすることを許可する動作と、
前記第１ポリシー・ソースの前記第２ソース・ポリシー・ストアへのアクセスを制限する動作と、
前記第２ポリシー・ソースの前記第１ソース・ポリシー・ストアへのアクセスを制限する動作と、
を含む、移動体デバイス。
【請求項７】
請求項１記載の移動体デバイスにおいて、前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
特定のポリシー・ソースから受けた対立解決処理設定と該特定のポリシー・ソースのオーソリティ・レベルとに基づいて、前記ポリシーのために前記移動体デバイスによって使用される前記対立解決技法を制御する動作、
を含む、移動体デバイス。
【請求項８】
請求項１記載の移動体デバイスにおいて、前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
前記複数のポリシー・ソースの内２つ以上のそれぞれのオーソリティ・レベルに基づいて、前記複数のポリシー・ソースの内前記２つ以上から受けた対立解決処理設定間で調停を行って、選択対立解決処理設定を選ぶ動作と、
前記選択対立解決処理設定に基づいて、前記ポリシーのために前記移動体デバイスによって使用される前記対立解決技法を制御する動作と、
を含む、移動体デバイス。
【請求項９】
請求項１記載の移動体デバイスにおいて、前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
特定のポリシー・ソースから対立解決処理設定を受ける動作と、
前記特定のポリシー・ソースと、前記移動体デバイスの信頼ポリシー・ソースとの間で確立された信頼を検出する動作と、
前記確立された信頼の検出に応答して、前記対立解決処理設定に基づいて、前記ポリシーのために前記移動体デバイスによって使用される前記対立解決技法を制御する動作と、
を含む、移動体デバイス。
【請求項１０】
請求項１記載の移動体デバイスにおいて、前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
前記ポリシーに対する対立を解決するために前記移動体デバイスによって使用される所与の対立解決技法が前記移動体デバイスの望ましくない状態を生ずるか否か検出する動作と、
前記所与の対立解決技法が前記望ましくない状態を生ずるか否かに基づいて、前記ポリシーのために前記移動体デバイスによって使用される前記対立解決技法を制御する動作と、
を含み、前記ポリシーのために前記移動体デバイスによって使用される前記対立解決技法を制御する動作が、
前記所与の対立解決技法が前記望ましくない状態を生じないことを検出したことに基づいて、前記所与の対立解決技法を前記対立解決技法として維持することと、
前記所与の対立解決技法が前記望ましくない状態を生ずることを検出したことに基づいて、前記所与の対立解決技法を、前記対立解決技法になるように変更すること、
を更に含む、移動体デバイス。
【請求項１１】
請求項１記載の移動体デバイスにおいて、前記複数のポリシー・ソースが、更に、移動体動作管理サーバーと、メッセージング・サーバーと、移動体デバイス管理サーバーとを含む、移動体デバイス。
【請求項１２】
請求項１記載の移動体デバイスにおいて、前記コンピューター読み取り可能ストレージが更にコンピューター実行可能命令を含み、該コンピューター実行可能命令が前記少なくとも１つのプロセッサーにより実行されると前記少なくとも１つのプロセッサーに動作を実行させ、該動作が、
前記移動体デバイスが前記第１ポリシー・ソースから離脱したことに応答して、前記ポリシーに対する前記現ポリシー値を再評価する動作、
を含む、移動体デバイス。
【請求項１３】
移動体デバイスであって、
少なくとも１つのプロセッサーと、
コンピューター実行可能命令を含むコンピューター読み取り可能ストレージと、
を含み、前記コンピューター実行可能命令が前記少なくとも１つのプロセッサーにより実行されると前記少なくとも１つのプロセッサーに動作を実行させ、該動作が、
特定のポリシー・ソースから対立解決処理設定を受ける動作であって、前記対立解決処理設定がポリシーのための対立解決技法を指定する、動作と、
前記特定のポリシー・ソースからの前記対立解決処理設定と前記特定のポリシー・ソースのオーソリティ・レベルとに基づいて、前記ポリシーのための前記対立解決技法を使用するように前記移動体デバイスを制御する動作と、
複数のポリシー・ソースからのポリシー構成要求を受ける動作であって、前記ポリシー構成要求が前記対立解決処理設定とは別であり、前記ポリシー構成要求が、前記ポリシーのための異なるポリシー値を指定する異なったポリシー・ソースによって与えられる異なったポリシー構成要求を含む、動作と、
前記ポリシーのための前記移動体デバイスにより使用される前記対立解決技法に基づいて、前記異なるポリシー・ソースによって与えられる前記異なるポリシー構成要求において指定された前記ポリシーに対する前記異なるポリシー値間の対立を解決して、前記移動体デバイスを制御する前記ポリシーに対する現ポリシー値を設定する動作と、
を含む、移動体デバイス。
【請求項１４】
移動体デバイスにおいてポリシーを管理する方法であって、
複数のポリシー・ソースからポリシー構成要求を受けるステップであって、前記複数のポリシー・ソースが、少なくとも、前記移動体デバイスによって実行される内部ポリシー・ソースと、前記移動体デバイスに対して外部になるデバイス管理サーバーとを含み、前記ポリシー構成要求が、少なくとも、
第１ポリシー・ソースからの第１ポリシー構成要求であって、ポリシーに対する第１ポリシー値を含む、第１ポリシー構成要求と、
第２ポリシー・ソースからの第２ポリシー構成要求であって、前記ポリシーに対する第２ポリシー値を含み、前記第１ポリシー・ソースが前記第２ポリシー・ソースとは異なり、前記第１ポリシー値が前記第２ポリシー値と対立する、第２ポリシー構成要求と、
を含む、ステップと、
前記移動体デバイスにおいて、前記第１ポリシー・ソースと前記第２ポリシー・ソースとの間に信頼が確立されずに、対立解決技法に基づいて前記ポリシーに対する前記第１ポリシー値と前記第２ポリシー値との間の対立を解決するステップと、
前記対立を解決したことに応答して、前記移動体デバイスを制御する前記ポリシーに対して現ポリシー値を設定するステップと、
を含む、方法。